(57)【特許請求の範囲】
【請求項１】
外部排水管の接続部を外周面に有する筒状のトラップ本体と、このトラップ本体の内周側に環状の排水通路を開けて配置された封水筒とを備えており、前記排水通路が前記封水筒の下端縁から前記トラップ本体における当該排水通路の上部開口を形成する周壁部の上端縁までの封水深さを有している排水トラップにおいて、
前記排水通路における封水切れよりも少量の封水切れを前記封水筒の下端縁よりも上方で起こさせるサブ封水通路が当該封水筒に設けられており、
前記サブ封水通路は、前記封水筒の下側に形成された取水口と、前記取水口から前記封水筒内を上方に延びる内壁と、前記取水口から前記排水通路内を上方に延びる外壁とよりなり、
前記外壁は、前記封水筒と別体とされかつ当該封水筒に装着可能に形成されたガイド部材により構成されることを特徴とする排水トラップ。
【請求項２】
前記外壁は、前記トラップ本体の前記上端縁と同じ又はこの上端縁よりも高い高さを有している請求項１に記載の排水トラップ。
【請求項３】
前記内壁は、前記サブ封水通路の封水切れの後、前記封水筒内の水位の上昇に伴って当該サブ封水通路の封水が回復する程度の高さを有するように、当該内壁の上縁が、前記取水口の上縁から所要寸法だけ上方に位置している請求項１又は２に記載の排水トラップ。
【請求項４】
洗い場に設置された洗い場用防水パンの排水口に接合された請求項１〜３のいずれか一項に記載の排水トラップと、前記排水トラップに接続されかつ外部排水管に排水を導水する洗い場配管と、浴槽の下に設置された浴槽用防水パンの排水口に接合されかつ前記排水トラップ又は前記洗い場配管に接続されて外部排水管に排水を導水する浴槽配管とを備えていることを特徴とする排水構造。
【発明の詳細な説明】
【技術分野】
【０００１】
本発明は、浴室内の浴槽や洗い場の排水口に設置される排水トラップとこの排水トラップを用いた排水構造に関する。
【背景技術】
【０００２】
従来、図７に示すような浴室の洗い場２０１に設置された排水トラップ２００を用いた排水構造においては、洗い場２０１の排水口に容器状のトラップ本体２０２を設け、このトラップ本体２０２の内側に封水筒２０３を設け、トラップ本体２０２と封水筒２０３との間の隙間を上昇する排水を外部排水管２０６に導水する配管２０４を当該トラップ本体２０２の配管接続部に接続し、さらに浴槽の排水口に接続される浴槽配管２０５を配管２０４に合流させて排水を外部排水管２０６に流すように構成されている。
【０００３】
上記排水構造の場合、例えば浴槽配管２０５の排水が排水方向に大量に流れると、配管２０４の内部は負圧となる。その際、排水トラップ２００に溜っている封水の水位が除々に下がっていき、封水筒２０３の下端よりも水位が下がると封水が切れて、その瞬間に音鳴りが発生する。一旦、封水が切れて配管２０４に空気が吸い込まれると、排水トラップ２００内の水位はある程度まで回復する。しかし、排水され続けられる間は、このようなことが繰り返されるため、音鳴りは継続的に発生することになる。さらに、排水トラップ２００に図７のような枝配管２０７が接続されている場合、枝配管２０７の封水も切れるため、枝配管２０７にも音鳴りが発生することで不快感を与える。
【０００４】
このような音鳴りを防止するために配管２０４に通気弁を設けることが考えられ、さらに、例えば特許文献１に記載の排水トラップでは、排水筒の取付高さ位置を調節可能とし、排水流量を減少させることで音鳴りを防いでいる。
【特許文献１】特開２００４−３５３２１２号公報
【発明の開示】
【発明が解決しようとする課題】
【０００５】
しかし、一旦施工されている現場への通気弁の取り付けは困難であり、また、当初から取り付けた場合であってもコストが嵩む。特許文献１の排水トラップを用いた場合では、排水抵抗が減少するため十分な排水能力を確保できない場合があり、さらに配管等の取り付け状況による音鳴りに応じて封水筒の高さを調節する必要があるため、設置した後も手間を要する。
【０００６】
そこで、本発明はこのような従来技術の問題点に鑑み、大きな音鳴りを防止すると共に、コストが抑えられ、十分な排水能力が確保され、かつ設置した後は手間を要さない排水トラップ及びその排水トラップを用いた排水構造を提供することを目的とする。
【課題を解決するための手段】
【０００７】
上記目的を達成するため、本発明は次の技術的手段を講じた。
すなわち、本発明は、外部排水管の接続部を外周面に有する筒状のトラップ本体と、このトラップ本体の内周側に環状の排水通路を開けて配置された封水筒とを備えており、前記排水通路が前記封水筒の下端縁から前記トラップ本体における当該排水通路の上部開口を形成する周壁部の上端縁までの封水深さを有している排水トラップにおいて、前記排水通路における封水切れよりも少量の封水切れを前記封水筒の下端縁よりも上方で起こさせるサブ封水通路が当該封水筒に設けられており、前記サブ封水通路は、前記封水筒の下側に形成された取水口と、前記取水口から前記封水筒内を上方に延びる内壁と、前記取水口から前記排水通路内を上方に延びる外壁とよりなり、前記外壁は、前記封水筒と別体とされかつ当該封水筒に装着可能に形成されたガイド部材により構成されることを特徴とする。
【０００８】
上記本発明によれば、排水通路における封水切れよりも少量の封水切れを封水筒の下端縁よりも上方で起こさせるサブ封水通路が当該封水筒に設けられているので、トラップ本体に接続される配管内が負圧になり、排水通路内に溜っている排水の水位が下がってきても、排水通路における封水切れよりも少量の封水切れしか起こらない。そのため、排水通路の封水切れによる大きい音鳴りを防止することができる。
また、配管に通気弁を設ける必要がないためコストが抑えられ、従来のように封水筒を下げて流路を狭くするのもではないため十分な排水能力が確保される。さらに、配管の取り付け状況にかかわらず、一旦設置した後は手間を要することなく大きな音鳴りの発生を防止することができる。
また、ガイド部材を封水筒に装着するだけで当該封水筒にサブ封水通路を設けることができ、また、ガイド部材を取り外すことによりサブ封水通路を容易に清掃することができる。
【０００９】
また、このようなサブ封水通路とする場合、前記外壁は、前記トラップ本体の前記上端縁と同じ又はこの上端縁よりも高い高さを有していることが好ましい。この場合、排水通路内の排水がサブ封水通路へ逆流するのを防止することができる。
【００１０】
さらに、前記内壁は、前記サブ封水通路の封水切れの後、前記封水筒内の水位の上昇に伴って当該サブ封水通路の封水が回復する程度の高さを有するように、当該内壁の上縁が、前記取水口の上縁から所要寸法だけ上方に位置していることが好ましい。この場合、サブ封水通路の封水切れの後、トラップ本体に接続される配管内が常圧となり封水筒内の水位が上昇すると当該サブ封水通路の封水が回復するので、サブ封水通路における封水機能を維持することができる。
【００１２】
上記排水トラップを用いた本発明に係る排水構造としては、例えば、洗い場に設置された洗い場用防水パンの排水口に接合された上記の排水トラップと、前記排水トラップに接続されかつ外部排水管に排水を導水する洗い場配管と、浴槽の下に設置された浴槽用防水パンの排水口に接合されかつ前記排水トラップ又は前記洗い場配管に接続されて外部排水管に排水を導水する浴槽配管とを備えたものとすることができる。
このような排水構造とすれば、浴槽から大量の排水が浴槽配管を通って例えば外部排水管に流れ、トラップ本体が接続されている洗い場配管内が負圧となった場合であっても、排水トラップの音鳴りは小さいため、不快感を与えることがない。
【発明の効果】
【００１３】
上記の通り、本発明によれば、サブ封水通路により、排水通路の封水切れよりも少量の封水切れを起こさせるようにしたので、大きな音鳴りを防止できる。また、配管に通気弁を設ける必要がないためコストが抑えられ、従来のように封水筒を下げて流路を狭くするのもではないため十分な排水能力が確保され、かつ、配管の取り付け状況にかかわらず、一旦設置した後は手間を要することがない。
【発明を実施するための最良の形態】
【００１４】
以下、図面を参照しつつ本発明の実施形態を説明する。図１は本発明に係る排水トラップ１の一実施形態を示している。本実施形態の排水トラップ１は、浴室の排水口に設置されるトラップ本体２と、このトラップ本体２の内側に位置する封水筒３とを備えており、当該トラップ本体２と封水筒３との間には環状の排水通路８が開けられている。また、排水トラップ１の上部には、支持部材５０、フランジ部材５１、ヘアキャッチャー５２等が設けられている。
【００１５】
図１に示すように、トラップ本体２は有底筒状に形成されており、その外周面の一部には当該トラップ本体と一体となった配管接続部１０３が形成されていると共に、その上端には外側に広がる傾斜部２ａ及びこの傾斜部２ａから上方に延びる大径部２ｂが形成されている。そして、トラップ本体２の上部開口から排水が溢れ出すと、傾斜部２ａや大径部２ｂから配管接続部１０３に排水が流れ込むようになっている。
【００１６】
封水筒３は、トラップ本体２よりも小径の筒状に形成されており、図２に示すように上下方向に延びる筒部３１と、この筒部３１の上端から斜め上に広がる円すい部３２、及び円すい部３２の上端にはフランジ部３３を有している。筒部３１の横方向断面は、図３に示すように円筒形状の一部を欠いたようになっており、筒部３１の一部が平坦部３１ｈとなっている。この平坦部３１ｈの下部には上縁ａ１が当該筒部３１の下端ａ２よりも高い位置となる取水口３１ｓが刳り抜かれており、この取水口３１ｓから封水筒３の外側に排水や空気が通るようになっている。また、筒部３１の下部には、下方に向かうに従って内側に傾斜する鍔部３１ｔ、及び取水口３１ｓの上縁ａ１よりも上側まで延びた内壁１１、この内壁１１を封水筒３と一体に繋ぐ側部１２及び下支持部１３が、封水筒３と一体成形されている。
【００１７】
上記内壁１１と筒部３１（平坦部３１ｈ）との間には所要間隔があけられており、排水や空気の通り路となっている。また、平坦部３１ｈの外側には、一対の側方支持部１４が取水口３１ｓの少し上から円すい部３２まで上記側部１２と同じ幅をあけて封水筒３と一体成形されている。
一方、図１及び図３に示すように、封水筒３の側方支持部１４及び下支持部１３に、当該封水筒３と別体とされたガイド部材２０が取り付けられている。このガイド部材２０は、ＥＰＤＭ等のゴム材からなり、封水筒３に着脱可能に嵌め込むことができるようになっている。
【００１８】
図４（ａ）及び（ｂ）に示すように、上記ガイド部材２０は、封水筒３に取り付けられた状態で上下に延びる外壁２１と、封水筒３の内外に渡る底部２２とからＬ字状に形成され、さらに当該外壁２１及び底部２２の両側にガイド側部２３が形成されている。そして、この両ガイド側部２３を封水筒３の側方支持部１４に嵌め込み、底部２２を封水筒３の下支持部１３に載せることで、当該ガイド部材２０が封水筒３に取り付けられる。
【００１９】
ガイド部材２０を取り付けた後は、封水筒３と一体となっている内壁１１及び側部１２、及びガイド部材２０の底部２２と外壁２１とガイド側部２３（外壁）により、封水筒３の内側から上縁ａ１で折り返して排水通路８内を上方に延びるサブ封水通路８１が構成される。従って、上記のようなガイド部材２０を採用すれば、当該サブ封水通路８１を簡単に形成することができ、また、当該ガイド部材２０を取り外すことによりサブ封水通路８１を容易に清掃することができる。
【００２０】
また、図１のように、外壁２１の上縁の位置はトラップ本体２の上端縁と一致しており、内壁１１の上端は当該外壁２１の上端よりも低い位置となっている。なお、外壁２１の上縁は、このようにトラップ本体２の上端縁と一致するか少し高くなっていればよい。これにより、排水通路８内の排水がサブ封水通路８１へ逆流するのを防止することができる。さらに、内壁１１は、サブ封水通路８の封水切れの後、排水が終わり、封水筒３内の水位の上昇に伴って当該サブ封水通路８の封水を回復させるべく、当該内壁１１の上縁は、取水口３１ｓの上縁ａ１から所要寸法だけ上方に位置されている。
【００２１】
図１において、トラップ本体２の大径部２ｂにはリング状の支持部材５０が取り付けられ、当該支持部材５０の内側にはフランジ部材５１が挿入されていると共に、同フランジ部材５１の平面部５１ａと支持部材５０の上面との間には、Ｕ字状パッキング５３が設けられている。また、ヘアキャッチャー５２が、フランジ部材５１の内側に挿入され、当該ヘアキャッチャー５２の鍔がフランジ部材５１の平面部５１ａの上方に位置されている。そして、フランジ部材５１に形成された突起５１ｃが、ヘアキャッチャー５２の凹部５２ａに嵌り込むことにより、当該ヘアキャッチャー５２が図に示す位置から落とされないようになっている。また、フランジ部材５１の下部平面部５１ｂには、封水筒３のフランジ部３３が載っており、当該封水筒３の下端ａ２とトラップ本体２の下面との間に所要間隔があけられた状態で当該封水筒３が位置決めされている。
【００２２】
上記構成からなる排水トラップ１を浴室に用いた排水構造の一例を図５及び図６に示す。この排水構造１００は、洗い場に設置された洗い場用防水パン１０１の排水口に接合された排水トラップ１と、排水トラップ１の配管接続部１０３に接続されかつ外部排水管１０２（図７の２０６に相当）に排水を導水する洗い場配管１０８（図７の２０４に相当）と、浴槽の下に設置された浴槽用パン１０４の排水口に接続されかつ洗い場配管１０８に合流して外部排水管１０２に排水を導水する浴槽配管１０５（図７の２０５に相当）と、上記各配管を連結する継手１０７とを備えている。また、排水トラップ１には、別の排水口に接続された枝管１０６（図７の２０７に相当）が接続されている。排水トラップ１は通常よりも深く形成されており、封水筒３の下端縁からトラップ本体２の上端縁までの封水深さ（排水通路８の封水深さ）ｔ１は７０ｍｍとなっており、取水口３１ａの上縁ａ１からトラップ本体２の上端までの封水深さ（サブ封水通路８１の封水深さ）ｔ２は５０ｍｍとなっている。また、トラップ本体２にはφ１００のものが、封水筒３にはφ６６のものが用いられている。なお、本実施形態では、洗い場用防水パン１０１と浴槽用防水パン１０４とが互いに接合された浴室防水パンが構成されている。
【００２３】
図６は、浴槽１０４から外部排水管１０２へ大量の排水が流れて、洗い場配管１０８（２０４）内が負圧となり、排水トラップ１内の封水が同洗い場配管１０８（２０４）へ流れ出している状態を示している。洗い場配管１０８（２０４）内が負圧になると、排水トラップ１内に溜められた封水１１０は、サブ封水通路８１や封水路８を上昇していき、洗い場配管１０８（２０４）へ流れ込む。
【００２４】
そして、排水トラップ１内の水位が除々に下がって、取水口３１ｓの上縁ａ１に至ると、この上縁ａ１でサブ封水通路８１の封水切れが起こる。この封水切れの際には、サブ封水通路８が封水筒３内の空気の通り路となる。従って、封水筒３の下端縁ａ２で封水切れが起こることがない。すなわち、当該サブ封水通路８１は、排水通路８における封水切れよりも少量の封水切れを封水筒３の下端縁ａ２よりも上方で起こさせることができる。
サブ封水通路８１の封水量は少ないため、この封水切れが起こった際の音鳴りは、排水通路８の封水切れの場合よりも小さい。そのため、不快感を与えることがない。さらに、本排水構造１００では、内壁１１の上端が、外壁２１の上端よりも下方で取水口３１ｓの上縁ａ１よりも所定寸法だけ上方に位置されているため、サブ封水通路８１の封水が回復し易くなっている。また、外壁２１の上縁が、トラップ本体２の上端縁と一致していることで、排水通路８内の排水が封水筒３内へ殆ど逆流せず、音鳴りをより低減することができる。
【００２５】
また、このような排水トラップ１を用いれば、空気を逃がすための通気弁を配管等に設ける必要がないためコストが抑えられ、従来のように封水筒を下げて流路を狭くするものではないため十分な排水能力が確保される。さらに、配管の取り付け状況にかかわらず、一旦設置した後は手間を要することなく大きな音鳴りの発生を防ぐことができる。また、図６のように排水トラップ１に枝管１０６が接続されている場合であっても、枝管１０６の封水が切れることがないため枝管１０６の音鳴りも防止することができる。
【００２６】
なお、本発明は上記実施形態に限定するものではない。例えば、他の排水構造（図示せず）として、浴槽の排水口に接続された浴槽配管を、洗い場の排水口に設置された排水トラップ１に直接的に接続し、全ての排水をこの排水トラップ１を通して外部排水管に流すようにしてもよい。
【図面の簡単な説明】
【００２７】
【図１】排水トラップにヘアキャッチャー等が設けられた状態を示す断面図である。
【図２】封水筒の断面図である。
【図３】封水筒にガイド部材を取り付け状態の上面図である。
【図４】（ａ）はガイド部材の上面図であり、（ｂ）は断面図である。
【図５】排水トラップを用いた排水構造の一例を示す説明図である。
【図６】排水トラップの排水が配管へ流れ出している状態を示している模式図である。
【図７】従来の排水トラップの説明図である。
【符号の説明】
【００２８】
１    排水トラップ
２    トラップ本体
３    封水筒
８    排水通路
１１  内壁
２０  ガイド部材
２１  外壁
３１ｓ  取水口
８１  サブ封水通路
１００  排水構造
ａ１  上縁
ａ２  下端
【図１】
0004845485.tif 000002
【図２】
0004845485.tif 000003
【図３】
0004845485.tif 000004
【図４】
0004845485.tif 000005
【図５】
0004845485.tif 000006
【図６】
0004845485.tif 000007
【図７】
0004845485.tif 000008